(57)【要約】【課題】使用者が起立する時に比較的力が省ける起立時の省力効果を有する椅子を提供する。【解決手段】シート１０は、複数の脚１１１と受け座１１２を有している。脚１１１の１端は平面上に安定して置かれ、他の１端は受け座１１２に連結されている。シートクッション３０は、側辺が受け座１１２の側辺上に枢接されている。緩衝装置５０は、受け座１１２の上に設置され、シートクッション３０と当接し所定の反発力を生じる。肘掛け４０は、肘掛け連結棒４１および滑動ユニットを有している。肘掛け連結棒４１は受け座１１２の上に枢接され、滑動ユニットによってシートクッション３０と連結されており、肘掛け連結棒４１の枢動により、シートクッション３０を同時に枢動させることができる。【選択図】　　　図１
0003098701.tif 000002
【実用新案登録請求の範囲】
【請求項１】
若干の脚および１個の受け座を有し、該脚は１端が平面上に安定して置かれ、該受け座は該脚の別の１端に連結されている１個のシートと、
側辺が該受け座の側辺上に枢接されている１個のシートクッションと、
該受け座上に設置され、また該シートクッションと当接し、該シートクッションへの所定の反発力を生じる１個の緩衝装置と、
１個の肘掛け連結棒および１個の滑動ユニットを有し、該肘掛け連結棒は該受け座上に枢接され、該滑動ユニットによって該シートクッションと連結され、該肘掛け連結棒の枢動により、該シートクッションを同時に枢動可能な１個の肘掛けと、
を備えることを特徴とする起立時の省力効果を有する椅子。
【請求項２】
１個の背もたれを有し、該背もたれは少なくとも１個の連結棒および１個の背もたれクッションを有し、該連結棒は１端が該受け座に連結され、別の１端は該背もたれクッションに連結され、該背もたれクッションにもたれかかることが可能であることを特徴とする請求項１記載の起立時の省力効果を有する椅子。
【請求項３】
該緩衝装置は２個の渦巻きばねであることを特徴とする請求項１記載の起立時の省力効果を有する椅子。
【請求項４】
該滑動ユニットは１個の固定部品および１個の滑動部品を有し、該固定部品は該シートクッションと該受け座により枢接する別の１側辺上に固設され、該固定部品には１個の滑移動孔が形成されており、該滑動部品は該肘掛け連結棒上に固設され、該滑移動孔中に位置し、該滑動部品が該滑移動孔中で移動可能であることを特徴とする請求項１記載の起立時の省力効果を有する椅子。
【請求項５】
該シートは１個の固定底板を有し、該受け座上を覆い、該受け座と該シートクッションの間に位置し、該固定底板上には若干の緩衝塊が形成され、該シートクッションが該固定底板の方へ枢動する力を緩和することを特徴とする請求項１記載の起立時の省力効果を有する椅子。
【請求項６】
該シートクッションと該受け座により枢接される側辺上には１個の内側へ伸びる凹陥区が形成され、該固定底板の同一側辺上には１個の凹部が形成されていることを特徴とする請求項５記載の起立時の省力効果を有する椅子。
【考案の詳細な説明】
【０００１】
【考案の属する技術分野】
本考案は椅子に関し、さらに詳しくは、起立時の省力効果を有する椅子に関する。
【０００２】
【従来の技術】
一般の肘掛けを有する椅子について言えば、使用者が着座し、起立しようとする時、両足に下方向へ力を加える方法だけで体を支え起こそうとすると、両足に相当大きい負担がかかるので、一般の人は、両手を肘掛けの上に突いて、両足および両手に同時に下方向へ力を加えることにより体を支え起こす。これにより着座している者が起立する時に、比較的力を省くことができる。
【０００３】
しかし、両足の力が比較的不足している人あるいは老人について言えば、起立したい時に両足を突いて力を加えることができず、両手を肘掛けに突くだけで起立しようとする。このような立ち上がり方は、両手に相当大きい負担がかかるので、一般の老人にとっては容易でない。そのため多くの椅子が油圧シリンダ、エアシリンダあるいはモータ連結シャフトの構造を、椅子に敷くクッションと連結させ、上述の構造を操作し作動させることにより、椅子のクッションが持ち上がり、起立しやすいようになっている。しかしこのような構造の椅子は、組み合わせる部材が非常に多く、構造が複雑であり、価格も相当高価になってしまい、かつその体積は膨大で重量も大きく、一般家庭での使用には向かない。
【０００４】
【考案が解決しようとする課題】
本考案の主要な目的は、使用者が起立する時に比較的力が省ける起立時の省力効果を有する椅子を提供することである。
本考案のもう一つの目的は、部材が比較的簡単で低コストの起立時の省力効果を有する椅子を提供することである。
【０００５】
【課題を解決するための手段】
上述の目的を達成するために、本考案が提供する起立時の省力効果を有する椅子は、主に以下の内容を含む。１個のシートは、若干の脚および１個の受け座を有し、該脚は１端が平面上に安定して置かれ、該受け座は該脚の別の１端に連結されている。１個のシートクッションは、１側辺が該受け座の１側辺上に枢接されている。１個の緩衝装置は、該受け座上に設置され、また該シートクッションと当接し、該シートクッションに所定の反発力を生じさせる。１個の肘掛けは、１個の肘掛け連結棒および１個の滑動ユニットを有し、該肘掛け連結棒は該受け座上に枢接され、また該滑動ユニットによって該シートクッションと連結され、該肘掛け連結棒の枢動により、該シートクッションを同時に枢動させることができる。
【０００６】
【考案の実施の形態】
図１から図３をご参照いただきたい。本考案の比較的よい実施例が提供する起立時の省力効果を有する椅子１００は、主に１個のシート１０、１個の背もたれ２０、１個のシートクッション３０、１個の肘掛け４０および１個の緩衝装置５０を含む。
【０００７】
該シート１０は、１個の椅子主体１１および１個の固定底板１２を有し、該椅子主体１１は若干の所定形状の棒体を組み合わせて形成したものであり、１端は地面上に置かれる４個の脚１１１を、各脚１１１の別の１端は延伸し、互いに連結して成る受け座１１２を形成する。該固定底板１２は１個の底板主体１２１および２個の緩衝塊１２２を有し、該底板主体１２１の１端面は該受け座１１２上を覆っており、かつ該底板主体１２１の１側辺上には内側に伸びる１個の凹部１２３が形成されている。該２個の緩衝塊１２２は軟質の材質より形成され所定の弾性を有し、それぞれ該底板主体１２１の別の１端面の１側辺上に設置され、所定の距離で離れている。
【０００８】
該背もたれ２０は、２個の連結棒２１および１個の背もたれクッション２２を有し、各連結棒２１は１端が該シート１０の受け座１１２の下方に連結され、別の１端は上方向に伸び該背もたれクッション２２に連結され、人体の背部がもたれかかることができるようになっている。
該シートクッション３０は、１側辺が該シート１０の受け座１１２の１側辺と枢接され、該シートクッション３０がその枢接軸心に沿って枢動できるようになっており、該シートクッション３０と該受け座１１２が枢接されている側辺上には、内側に伸びる、該凹部１２３と形状が等しい１個の凹陥区３１が形成されている。
【０００９】
該肘掛け４０は、所定形状の１個の肘掛け連結棒４１および１個の滑動ユニット４２を有する。該肘掛け連結棒４１は両端が該シート１０受け座１１２の２個の向かい合う側辺上に枢接され、該滑動ユニット４２（図３、５、６をご参照いただきたい）は１個の固定部品４２１および１個の滑動部品４２２を有している。該固定部品４２１は該シートクッション３０の底面に固設され、かつ該シートクッション３０と該受け座１１２が枢接されているのと別の１側辺上に位置し、該固定部品４２１にはまた１個の長条状の滑移動孔４２３が形成されている。該滑動部品４２２は該肘掛け連結棒４１の中段位置に固定され、かつ該固定部品の滑移動孔４２３中に位置し、該滑動部品４２２が該滑移動孔４２３中で所定位置内の移動ができるようになっている。
【００１０】
該緩衝装置５０は、２個の渦巻きばねであり、それぞれ該シート１０の受け座１１２上に設置され、かつ該シートクッション３０と該受け座１１２が枢接されているのと同一側辺上に位置している。またそれぞれ１端がシートクッション３０の底面と当接しており、別の１端は該受け座１１２と当接しており、該緩衝装置５０の反発力により、該シートクッション３０が外力の作用を受けていない時、該底板１２と重なり合わない状態にする。
【００１１】
上述の内容が本考案の実施例による主要構成部品の紹介である。続いて、使用方法および特徴について以下の通り紹介する。
まず、使用者がシートクッション３０上に着座している時、図５に示されるように、該シートクッション３０は使用者の重量を受けて、該底板１２上の緩衝塊１２２とぶつかるまで下方向へ枢動し、軟質の緩衝塊１２２によりシートクッション３０の下方向への枢動の力を緩和する。この時、該緩衝装置５０はシートクッション３０とシート１０の圧縮により、所定の反発力を生じ、使用者が起立しようとする時、両手で自身の体重を肘掛け連結棒４１上にかけ、図４に示されるように、該肘掛け連結棒４１を前方向および下方向へ移動させ、該シートクッション３０を上方向に枢動させ、同時に緩衝装置５０の反発力を利用してシートクッション３０が上方向へ枢動する力を増加し、使用者が起立時に両手を利用し、肘掛け連結棒４１により自身の体重を、肘掛け連結棒４１を下へ移動させシートクッション３０を上方向に枢動する力に転換させ、使用者が起立する時に比較的力を省くことができるようになっている。
【００１２】
ここで特に説明したいのは、該肘掛け連結棒４１と該シートクッション３０の両者の枢接される中心は同一軸心上ではないので、該シートクッション３０と該肘掛け連結棒４１が枢動するのと同時に、その連結点も移動するという状況が起きる。このため本実施例中では、該シートクッション３０と該肘掛け連結棒４１の間は該滑動ユニット４２によって間接的に連結され、シートクッション３０の異なる位置に応じて随時該肘掛け連結棒４１との連結関係を保持することができるようになっている。図５に示されるように、該シートクッション３０に使用者が着座している時、該肘掛け連結棒４１上に固設されている滑動部品４２２は、該滑移動孔４２３中、シートクッション３０の枢動中心から最も遠い位置にある。図６に示されるように、使用者が該シートクッション３０から離れると、該肘掛け連結棒４１上に固設されている滑動部品４２２は、該滑移動孔４２３中、シートクッション３０の枢動中心から最も近い位置にある。簡単に言うと、該シートクッション３０が漸次上方向に枢動する時、該滑動部品４２２は該滑移動孔４２３中のシートクッション３０の枢動中心から最も遠い元の位置から、漸次最も近い位置に移動し、該肘掛け連結棒４１と該シートクッション３０が随時連結状態を保持できるようにしている。
【００１３】
その他、本実施例の固定底板１２とシートクッション３０中にそれぞれ形成されている凹部１２３および凹陥区３１は、行動が不便な人が着座した時に、別の人が体を洗うのを助けるのに用いる。
【図面の簡単な説明】
【図１】本考案の実施例による起立時の省力効果を有する椅子を示す立体組立図である。
【図２】図１に示す起立時の省力効果を有する椅子が力を受けた状態を示す立体図である。
【図３】図１に示す起立時の省力効果を有する椅子の局部部材位置を示す概略図である。
【図４】図１に示す起立時の省力効果を有する椅子を人が使用している状態を示す概略図である。
【図５】図１に示す起立時の省力効果を有する椅子が力を受けた状態を示す概略図である。
【図６】図１に示す起立時の省力効果を有する椅子が力を受けていない状態を示す概略図である。
【符号の説明】
１００　　起立時の省力効果を有する椅子
１０　　シート
１１　　椅子主体
１１１　　脚
１１２　　受け座
１２　　固定底板
１２１　　底板主体
１２３　　凹部
１２２　　緩衝塊
２０　　背もたれ
２１　　連結棒
２２　　背もたれクッション
３０　　シートクッション
３１　　凹陥区
４０　　肘掛け
４１　　肘掛け連結棒
４２　　滑動ユニット
４２１　　固定部品
４２３　　滑移動孔
４２２　　滑動部品
５０　　緩衝装置
【図１】
0003098701.tif 000003
【図２】
0003098701.tif 000004
【図３】
0003098701.tif 000005
【図４】
0003098701.tif 000006
【図５】
0003098701.tif 000007
【図６】
0003098701.tif 000008